(57)【特許請求の範囲】
【請求項１】
被遮蔽部の両側部に相対して固定され互いに対向して挿入口を上下方向に形成したガイドレールと、
この両側部のガイドレール間の上方に回転自在に設けられた巻取ドラムと、
この巻取ドラムに巻き戻し自在に巻回され巻き戻し時に前記両側部のガイドレールの挿入口に幅方向の両側端部を挿入して下降され前記被遮蔽部を遮蔽するシート体と、
このシート体の下端部に取り付けられこのシート体にて前記被遮蔽部を遮蔽する際にこの被遮蔽部の床面に着床するシート体の幅方向の重錘体と、
前記シート体の下降時にこのシート体の重錘体により引き出されこの重錘体が着床して前記被遮蔽部を遮蔽したシート体に沿って張設されるシート体補強手段とを具備し、
前記シート体補強手段は、前記重錘体により引き出され前記被遮蔽部を遮蔽した前記シート体に沿って張設される線状材であり、
前記線状材は、前記重錘体の両端近傍に位置して回転自在に軸架された両側のガイドローラ間に掛け渡され、一端部を一方のガイドローラを介して一方のガイドレールの上端近傍に位置して設けられた固着具に固着し、他端部を他方のガイドローラを介して他方のガイドレールの上端近傍に位置して設けられた巻取器に巻き戻し自在に巻回した、
ことを特徴とするスクリーン装置。
【請求項２】
被遮蔽部の両側部に相対して固定され互いに対向して挿入口を上下方向に形成したガイドレールと、
この両側部のガイドレール間の上方に回転自在に設けられた巻取ドラムと、
この巻取ドラムに巻き戻し自在に巻回され巻き戻し時に前記両側部のガイドレールの挿入口に幅方向の両側端部を挿入して下降され前記被遮蔽部を遮蔽するシート体と、
このシート体の下端部に取り付けられこのシート体にて前記被遮蔽部を遮蔽する際にこの被遮蔽部の床面に着床するシート体の幅方向の重錘体と、
前記シート体の下降時にこのシート体の重錘体により引き出されこの重錘体が着床して前記被遮蔽部を遮蔽したシート体に沿って張設されるシート体補強手段とを具備し、
前記シート体補強手段は、前記ガイドレールの上端近傍に位置して設けられた巻取器に巻戻し自在に巻回され、前記重錘体の両側近傍間に掛け渡され、一方の線状部と他方の線状部とを対角線上にクロスした状態で前記シート体に沿って前記重錘体により引き出され、前記シート体にて前記被遮蔽部を遮蔽した際にはこのシート体に沿ってクロスした状態に張設されそのクロス部が前記シート体の略中心部に位置する
ことを特徴とするスクリーン装置。
【発明の詳細な説明】
【０００１】
【発明の属する技術分野】
本発明はスクリーン装置に係り、たとえば、被遮蔽部を遮蔽して建物内の温度を保持したり、建物内への風及び塵埃の侵入及び火災時に煙りの拡散と延焼を防止するものに関する。
【０００２】
【従来の技術】
従来、この種のスクリーン装置としては、たとえば、被遮蔽部の両側部に相対して固定され対向して挿入口を上下方向に形成したガイドレールと、この両側部のガイドレール間の上方に回転自在に設けられ巻取ドラムと、この巻取ドラムに巻き戻し自在に巻回され巻き戻し時に前記両側部のガイドレールの挿入口に沿って巻き戻し下降され前記被遮蔽部を遮蔽する布製のシート体と、このシート体の下端部に取り付けられこのシート体にて前記被遮蔽部を遮蔽する際にこの被遮蔽部の床面に着床する重錘体と、を具備した構成のものがある。
【０００３】
【発明が解決しようとする課題】
前記従来のスクリーン装置では、シート体は布製のため、被遮蔽部を遮蔽した状態でこのシート体が比較的強い風圧を受けて煽られた場合にはこの風圧により押動されてシート体が撓み、このシート体の両側端部が両側部のガイドレールの挿入口から抜け出すことがある。
【０００４】
そこで、シート体の中間部に所定の間隔をおいてシート体の幅方向の複数のパイプをそれぞれ取り付け、これらの複数のパイプにて被遮蔽部を遮蔽したシート体が比較的強い風圧を受けて煽られてもシート体が撓むことがないようにすることが考えられるが、この構成では、パイプがシート体の一側面に突出するため、ガイドレールの対向する側板部間の間隔すなわち挿入口を大きく開口する必要があってガイドレールが大型化するばかりか、下降時にガイドレールの側板と補強パイプの両端部との間に異物等が挟まり易く、また、複数のパイプを突設したシート体を巻取ドラムに巻回するため、この巻取ドラムを中心として巻取ドラムの周囲にシート体の大きい巻回スペースを必要とする、という問題がある。
【０００５】
本発明は、このような課題に鑑みてなされたもので、被遮蔽部を遮蔽したシート体が比較的強い風圧を受けて煽られてもシート体が撓むことがないようにシート体を簡単な構成によって確実に補強でき、シート体の両側端部が両側部のガイドレールの挿入口から抜け出すことを防止でき、ガイドレールの大型化及び巻取ドラムの周囲にシート体の大きな巻回スペースを必要としないスクリーン装置を提供することを目的とするものである。
【０００６】
【課題を解決するための手段】
請求項１記載のスクリーン装置は、被遮蔽部の両側部に相対して固定され互いに対向して挿入口を上下方向に形成したガイドレールと、この両側部のガイドレール間の上方に回転自在に設けられた巻取ドラムと、この巻取ドラムに巻き戻し自在に巻回され巻き戻し時に前記両側部のガイドレールの挿入口に幅方向の両側端部を挿入して下降され前記被遮蔽部を遮蔽するシート体と、このシート体の下端部に取り付けられこのシート体にて前記被遮蔽部を遮蔽する際にこの被遮蔽部の床面に着床するシート体の幅方向の重錘体と、前記シート体の下降時にこのシート体の重錘体により引き出されこの重錘体が着床して前記被遮蔽部を遮蔽したシート体に沿って張設されるシート体補強手段とを具備し、前記シート体補強手段は、前記重錘体により引き出され前記被遮蔽部を遮蔽した前記シート体に沿って張設される線状材であり、前記線状材は、前記重錘体の両端近傍に位置して回転自在に軸架された両側のガイドローラ間に掛け渡され、一端部を一方のガイドローラを介して一方のガイドレールの上端近傍に位置して設けられた固着具に固着し、他端部を他方のガイドローラを介して他方のガイドレールの上端近傍に位置して設けられた巻取器に巻き戻し自在に巻回した、ものである。
【０００７】
そして、巻取ドラムがシート体を巻き戻す方向に向かって駆動回転されると、この巻取ドラムからシート体が順次巻き戻され、このシート体は幅方向の両側端部が両側部のガイドレールの挿入口に沿って、かつ、重錘体の重量により迅速に下降される。また、重錘体が下降されると、この重錘体によりシート体補強手段がシート体の下降に連動して引き出されるとともに、この重錘体が着床してシート体にて被遮蔽部を遮蔽すると、このシート体に沿ってシート体補強手段が張設され、このシート体補強手段にてシート体が補強される。したがって、シート体を下降してこのシート体の下端部の重錘体が着床することにより、このシート体及び重錘体にて被遮蔽部を遮蔽すると同時にこのシート体に沿って張設されるシート体補強手段にてシート体が大きく撓むことがないように補強される。そして、被遮蔽部を遮蔽したシート体が比較的強い風圧を受けて煽られても、このシート体はシート体補強手段にて補強されていることにより、このシート体が大きく撓むことがないように規制され、このシート体の両側端部が両側部のガイドレールの挿入口から抜け出すことを防止される。また、重錘体が下降されると、この重錘体により線状材がシート体の下降に連動して引き出されるとともに、この重錘体が着床してシート体にて被遮蔽部を遮蔽すると、このシート体に沿って線状材が張設され、この線状材にてシート体が補強される。したがって、シート体を下降してこのシート体の下端部の重錘体が着床することにより、このシート体及び重錘体にて被遮蔽部を遮蔽すると同時にこのシート体に沿って張設される線状材にてシート体が大きく撓むことがないように補強される。そして、被遮蔽部を遮蔽したシート体が比較的強い風圧を受けて煽られても、このシート体は線状材にて補強されていることにより、このシート体が大きく撓むことがないように規制され、このシート体の両側端部が両側部のガイドレールの挿入口から抜け出すことを防止される。
【０００８】
また、重錘体が下降されると、この重錘体の両側のガイドローラにより線状材がシート体の下降に連動して巻取器から巻き戻されて引き出されるとともに、この重錘体が着床してシート体にて被遮蔽部を遮蔽すると、このシート体に沿って線状材が張設され、この線状材にてシート体が補強される。
【０００９】
この際、重錘体の両側のガイドローラ間に掛け渡された線状材は、一端部を一方のガイドローラを介して一方のガイドレールの上端近傍の固着具に固着し、他端部を他方のガイドローラを介して他方のガイドレールの上端近傍の巻取器に巻回されていることにより、重錘体の両側のガイドローラにて巻取器から線状材がスムーズに引き出され、重錘体が着床してシート体にて被遮蔽部を遮蔽すると、このシート体に沿って線状材が対角線上にクロスした状態に張設される。
【００１０】
そして、シート体が比較的強い風圧を受けた際に最も大きく撓み易いシート体の中心部に線状材のクロス部が位置することにより、この線状材にてシート体が撓むことがないように補強される。
【００１１】
したがって、シート体を下降してこのシート体の下端部の重錘体が着床することにより、このシート体及び重錘体にて被遮蔽部を遮蔽すると同時にこのシート体に沿ってクロスした状態に張設される線状材にてシート体が大きく撓むことがないように補強される。
【００１２】
そして、被遮蔽部を遮蔽したシート体が比較的強い風圧を受けて煽られても、このシート体は線状材にて補強されていることにより、このシート体が大きく撓むことがないように規制され、このシート体の両側端部が両側部のガイドレールの挿入口から抜け出すことを防止される。
【００１３】
請求項２記載のスクリーン装置は、被遮蔽部の両側部に相対して固定され互いに対向して挿入口を上下方向に形成したガイドレールと、この両側部のガイドレール間の上方に回転自在に設けられた巻取ドラムと、この巻取ドラムに巻き戻し自在に巻回され巻き戻し時に前記両側部のガイドレールの挿入口に幅方向の両側端部を挿入して下降され前記被遮蔽部を遮蔽するシート体と、このシート体の下端部に取り付けられこのシート体にて前記被遮蔽部を遮蔽する際にこの被遮蔽部の床面に着床するシート体の幅方向の重錘体と、前記シート体の下降時にこのシート体の重錘体により引き出されこの重錘体が着床して前記被遮蔽部を遮蔽したシート体に沿って張設されるシート体補強手段とを具備し、前記シート体補強手段は、前記ガイドレールの上端近傍に位置して設けられた巻取器に巻戻し自在に巻回され、前記重錘体の両側近傍間に掛け渡され、一方の線状部と他方の線状部とを対角線上にクロスした状態で前記シート体に沿って前記重錘体により引き出され、前記シート体にて前記被遮蔽部を遮蔽した際にはこのシート体に沿ってクロスした状態に張設されそのクロス部が前記シート体の略中心部に位置するものである。
【００１４】
そして、巻取ドラムがシート体を巻き戻す方向に向かって駆動回転されると、この巻取ドラムからシート体が順次巻き戻され、このシート体は幅方向の両側端部が両側部のガイドレールの挿入口に沿って、かつ、重錘体の重量により迅速に下降される。また、重錘体が下降されると、この重錘体によりシート体補強手段がシート体の下降に連動して引き出されるとともに、この重錘体が着床してシート体にて被遮蔽部を遮蔽すると、このシート体に沿ってシート体補強手段が張設され、このシート体補強手段にてシート体が補強される。したがって、シート体を下降してこのシート体の下端部の重錘体が着床することにより、このシート体及び重錘体にて被遮蔽部を遮蔽すると同時にこのシート体に沿って張設されるシート体補強手段にてシート体が大きく撓むことがないように補強される。そして、被遮蔽部を遮蔽したシート体が比較的強い風圧を受けて煽られても、このシート体はシート体補強手段にて補強されていることにより、このシート体が大きく撓むことがないように規制され、このシート体の両側端部が両側部のガイドレールの挿入口から抜け出すことを防止される。
【００１５】
【発明の実施の形態】
以下、本発明の実施の形態を図面を参照して説明する。
【００１６】
図１及び図２に示す実施の形態において、１は出入口、非常口及び通路等の被遮蔽部２の両側部にそれぞれ相対して垂直状に固定された上下方向の左右のガイドレールで、この左右のガイドレール１は互いに対向して開口した上下方向の挿入口３をそれぞれ有して断面略コ字形状に形成されている。
【００１７】
つぎに、前記被遮蔽部２の上框体等の天井壁部４に前記左右のガイドレール１の上端部をそれぞれ挿入したシートボックス５が固定され、このシートボックス５は下端部に前記左右のガイドレール１の挿入口３にそれぞれ連通して開口した左右方向のシート案内口６が開口して形成されている。
【００１８】
また、前記シートボックス５は左右に側板部７をそれぞれ有し、この左右の側板部７に相対して軸受体８がそれぞれ取り付けられ、この左右の軸受体８に回転軸９の両端部がそれぞれ回転自在に軸架され、この回転軸９にこの回転軸９を中心として回転する左右方向の円筒状の巻取ドラム10が一体に固着されている。また、前記巻取ドラム10は前記左右のガイドレール１の端板部間の間隔より僅かに短い長さに形成されている。また、前記回転軸９の一端部に回転輪11が固着されている。
【００１９】
また、前記シートボックス５の一側部内に正逆転可能なモータ12が固定され、このモータ12の出力軸13に駆動輪14が固着され、この駆動輪14と前記回転輪11との間に無端回行体15が懸架されている。
【００２０】
そして、前記モータ12が作動されることにより、前記無端回行体15を介して前記回転軸11が回転されるとともに、この回転軸11にて前記巻取ドラム10が後述するシート体を巻回する方向及びこのシート体を巻き戻す方向に回転されるようになっている。なお、前記モータ12は、たとえば、制御手段からの火災信号等の出力信号により作動され、後述する重錘体が前記被遮蔽部２の床面16に着床した時点で前記制御手段からの停止信号により作動が停止されるようになっている。
【００２１】
つぎに、前記巻取ドラム10に前記被遮蔽部２を遮蔽するシート体17の上端部が固着されて巻き戻し自在に巻回されている。このシート体17は、燃えない耐火シート、燃え難い耐火シートからなる不燃性耐火シート体18にて形成され、この不燃性耐火シート体18は、たとえば、ガラスクロス、シリカクロス等からなる一枚仕立ての難燃性布地等にて形成されている。
【００２２】
前記不燃性耐火シート体18は、前記巻取ドラム10から巻き戻されて前記被遮蔽部２を遮蔽する所定の長さに形成され、その幅方向の両側端部は前記左右のガイドレール１の挿入口３に挿入する挿入部19としてそれぞれ形成されている。
【００２３】
また、前記不燃性耐火シート体18の下端部に前記被遮蔽部２の床面16に着床する不燃性耐火シート体18の幅方向の重錘体20が設けられている。この重錘体20は不燃性重錘体21にて形成され、この不燃性重錘体21は、両端部を前記左右のガイドレール１の挿入口３内に昇降自在に挿入した挿入部22としてそれぞれ形成され、この両端部の挿入部22の外端は前記不燃性耐火シート体18の幅方向の両側端部の挿入部19の外端に連続して形成されている。
【００２４】
つぎに、前記不燃性耐火シート体18の下降時にこの不燃性耐火シート体18の不燃性重錘体21により引き出されこの不燃性重錘体21が着床して前記被遮蔽部２を遮蔽した不燃性耐火シート体18に沿って張設されるシート体補強手段23が設けられている。
【００２５】
前記シート体補強手段23は、前記不燃性重錘体21の両端近傍に位置してそれぞれ回転自在に軸架された両側のガイドローラ24と、前記両側部のガイドレール１の上端部間に固定された取付フレーム25の一端近傍に位置してすなわち、一方のガイドレール１の上端近傍に位置して設けられた固着具26と、前記取付フレーム25の他端近傍に位置してすなわち、他方のガイドレール１の上端近傍に位置して設けられた巻取器27と、前記両側のガイドローラ24間に掛け渡され一端部を一方のガイドローラ24を介して前記固着具26に固着し他端部を他方のガイドローラ24を介して前記巻取器27に巻き戻し自在に巻回した線状材28と、を有して構成されている。
【００２６】
そして、前記線状材28は、前記一方のガイドローラ24と固着具26との間に張設される一方の線状部29と前記他方のガイドローラ24と巻取器27との間に張設される他方の線状部30とはクロスして張設され、このクロス部31は、前記不燃性重錘体21が着床して前記不燃性耐火シート体18にて前記被遮蔽部２を遮蔽した際にはこの不燃性耐火シート体18の略中心部に位置するようになっている。
【００２７】
前記線状材28は、前記巻取器27に巻き戻し自在に巻回されるワイヤ32またはロープ、紐等の細長い線の形状をした部材にて形成されている。
【００２８】
また、前記巻取器27は、前記取付フレーム25に回転自在に軸架された巻取支軸33と、この巻取支軸33に固着され前記線状材28を巻き戻し自在に巻回するプーリ34と、前記巻取支軸33に設けられこの巻取支軸33を介して前記プーリ34を前記線状材28を常時巻回する方向に付勢するコイルスプリング35と、をそれぞれ有して構成されている。
【００２９】
そして、前記線状材28は、前記不燃性耐火シート体18の下降時にこの不燃性耐火シート体18の不燃性重錘体21により前記コイルスプリング35に抗して回転される前記プーリ34から巻き戻されて引き出され、この不燃性重錘体21が着床して前記被遮蔽部２を遮蔽した不燃性耐火シート体18に沿って張設されるようになっている。
【００３０】
つぎに、前記図１及び図２に示す実施の形態の作用を説明する。
【００３１】
被遮蔽部２を遮蔽する際、たとえば、被遮蔽部２を遮蔽する火災時に制御手段からの火災信号によりモータ12が作動されると、このモータ12からの出力により無端回行体15を介して回転される回転軸９の巻取ドラム10がシート体17すなわち、不燃性耐火シート体18を巻き戻す方向に駆動回転され、この巻取ドラム10から不燃性耐火シート体18が順次巻き戻される。
【００３２】
そして、不燃性耐火シート体18の両挿入部19が左右のガイドレール１の挿入口３に沿ってそれぞれ案内されて下降され、かつ、この不燃性耐火シート体18の下端部の重錘体20すなわち、不燃性重錘体21の両挿入部22が左右のガイドレール１の挿入口３に沿ってそれぞれ案内されながらこの不燃性重錘体21の重量により迅速に下降される。
【００３３】
また、不燃性重錘体21が下降されると、この不燃性重錘体21の下降に連動してこの不燃性重錘体21によりシート体補強手段23の線状材28すなわち、ワイヤ32がコイルスプリング35に抗して回転されるプーリ34から巻き戻されて引き出され、この不燃性重錘体21が着床して不燃性耐火シート体18にて被遮蔽部２を遮蔽すると、この不燃性耐火シート体18に沿ってワイヤ32が張設され、このワイヤ32にて不燃性耐火シート体18が補強される。
【００３４】
この際、不燃性重錘体21の両側近傍のガイドローラ24間に掛け渡されたワイヤ32は一端部が固着具に固着され他端部がプーリ34に巻き戻し自在に巻回されているので、不燃性重錘体21が下降されることにより両端近傍のガイドローラ24にてワイヤ32はプーリ34から他方の線状部30として引き出されるとともに、図１右側のガイドローラ24から一方の線状部29として繰り出される。
【００３５】
そして、不燃性重錘体21の両側近傍のガイドローラ24にてワイヤ32は一方の線状部29と他方の線状部30とを対角線上にクロスした状態で不燃性耐火シート体18に沿ってプーリ34からスムーズに引き出され、不燃性重錘体21が着床して不燃性耐火シート体18にて被遮蔽部２を遮蔽した際にはこの不燃性耐火シート体18に沿ってワイヤ32がクロスした状態に張設される。
【００３６】
また、不燃性耐火シート体18が比較的強い風圧等を受けた際に最も大きく撓み易い不燃性耐火シート体18の略中心部にワイヤ32のクロス部31が位置されることにより、このワイヤ32にて不燃性耐火シート体18がこのワイヤ32と反対方向からの風圧等によって撓むことがないように規制され補強される。
【００３７】
したがって、不燃性耐火シート体18を下降してこの不燃性耐火シート体18の下端部の不燃性重錘体21が着床することにより、この不燃性耐火シート体18及び不燃性重錘体21にて被遮蔽部２を遮蔽すると同時に、この不燃性耐火シート体18に沿って張設されるシート体補強手段23のワイヤ32にて不燃性耐火シート体18がワイヤ32を張設した側面と反対方向からの風圧等によって大きく撓むことがないように補強される。
【００３８】
そして、被遮蔽部２を遮蔽した不燃性耐火シート体18が比較的強い風圧等を受けて煽られても、この不燃性耐火シート体18はシート体補強手段23のワイヤ32にて補強されていることにより、この不燃性耐火シート体18が大きく撓むことがないように規制され、この不燃性耐火シート体18の両側端部の挿入部19が両側部のガイドレール１の挿入口３から抜け出すことを防止される。
【００３９】
したがって、シート体17及び重錘体20にて被遮蔽部２を遮蔽した場合には、このシート体17が比較的強い風圧等を受けて煽られても、ワイヤ32にてシート体17が補強されていることにより、このシート体17の両側端部の挿入部19が両側部のガイドレール１の挿入口３から抜け出すことを防止され、風、塵埃等の流出入を遮断する気密性の高いスクリーン装置として用いられる。
【００４０】
また、不燃性耐火シート体18及び不燃性重錘体21にて被遮蔽部２を遮蔽した場合には、この不燃性耐火シート体18が火災時の熱風等を受けて煽られても、ワイヤ32にて不燃性耐火シート体18が補強されていることにより、この不燃性耐火シート体18の両側端部の挿入部19が両側部のガイドレール１の挿入口３から抜け出すことを防止され、火災時の熱風等の流出入を遮断する気密性の高い耐火スクリーン装置として用いられる。
【００４１】
つぎに、前記図１及び図２に示す実施の形態では、被遮蔽部２を遮蔽したシート体17すなわち不燃性耐火シート体18の一側面に沿ってシート体補強手段23のワイヤ32を張設する場合について説明したが、これに限らず、シート体補強手段23のワイヤ32は被遮蔽部２を遮蔽したシート体17すなわち不燃性耐火シート体18の他側面に沿って張設するようにしてもよく、すなわち、シート体補強手段23のワイヤ32はシート体17すなわち不燃性耐火シート体18が所定の風圧または火災時の熱風等を受ける側面と反対側面に沿って張設するようにする。
【００４２】
また、シート体補強手段23のワイヤ32はシート体17すなわち不燃性耐火シート体18の両側面に沿ってそれぞれ張設し、この両側のワイヤ32にてシート体17すなわち不燃性耐火シート体18を両側面から挟持するように補強するようにしてもよい。その他の構成は前記実施の形態の場合と同様とする。
【００４３】
このように構成することにより、不燃性耐火シート体18が一側面または他側面のいずれの方向から所定の風圧または火災時の熱風等を受けても、両側のワイヤ32にて不燃性耐火シート体18がいずれの方向にも撓むことが規制され、この不燃性耐火シート体18の両側端部の挿入部19が両側部のガイドレール１の挿入口３から抜け出すことを防止される。
【００４４】
つぎに、前記各実施の形態は、１本の線状材28すなわちワイヤ32を被遮蔽部２を遮蔽したシート体17すなわち不燃性耐火シート体18に沿ってクロスした状態に張設してこのワイヤ32にて不燃性耐火シート体18を補強する場合について説明したが、これに限らず、シート体17すなわち不燃性耐火シート体18はこの不燃性耐火シート体18に沿って張設する複数本の線状材36すなわちワイヤ37にて補強するようにしてもよい。
【００４５】
この場合は、たとえば、図３及び図４に示すように、天井壁部４に固着したシートボックス５の固着板部38に左右方向の取付フレーム39が水平状に固着され、この取付フレーム39に前記両側部のガイドレール１の上端部間に位置して所定の間隔をおいて複数の巻取器40がそれぞれ設けられている。
【００４６】
前記複数の巻取器40は、前記取付フレーム39に回転自在に軸架された巻取支軸41と、この巻取支軸41に固着され前記線状材36すなわちワイヤ37を巻き戻し自在に巻回するプーリ42と、前記巻取支軸41に設けられこの巻取支軸41を介して前記プーリ42を前記線状材36すなわちワイヤ37を常時巻回する方向に付勢するコイルスプリング43と、を有してそれぞれ構成されている。
【００４７】
また、前記複数の巻取器40に前記不燃性耐火シート体18の幅方向に所定の間隔をおいて張設される前記複数本のワイヤ37の上端部が固着されて巻き戻し自在にそれぞれ巻回され、この複数本のワイヤ37の下端部が重錘体20すなわち不燃性重錘体21に前記複数の巻取器40をそれぞれ設けた間隔をおいてそれぞれ固着されている。
【００４８】
そして、前記複数本のワイヤ37は、前記不燃性耐火シート体18の下降時にこの不燃性耐火シート体18の不燃性重錘体21により前記コイルスプリング43に抗して回転される前記プーリ42からそれぞれ巻き戻されて引き出され、この不燃性重錘体21が着床して前記被遮蔽部２を遮蔽した不燃性耐火シート体18に沿って張設されるようになっている。
【００４９】
その他の構成については前記実施の形態の場合と同様であるから前記実施の形態と同一構成については前記実施の形態に用いた符号を記入してそれらの説明を省略する。
【００５０】
このように構成することにより、不燃性耐火シート体18の不燃性重錘体21が下降されると、この不燃性重錘体21により複数本のワイヤ37が不燃性耐火シート体18の下降に連動して巻取器40からそれぞれ巻き戻されて引き出されるとともに、この不燃性重錘体21が床面16に着床して不燃性耐火シート体18にて被遮蔽部２を遮蔽すると、この不燃性耐火シート体18に沿ってこの不燃性耐火シート体18の幅方向に所定の間隔をおいて複数本のワイヤ37がそれぞれ張設され、この複数本のワイヤ37にて不燃性耐火シート体18が撓むことがないように補強される。
【００５１】
したがって、不燃性耐火シート体18を下降してこの不燃性耐火シート体18の下端部の不燃性重錘体21が着床することにより、この不燃性耐火シート体18及び不燃性重錘体21にて被遮蔽部２を遮蔽すると同時にこの不燃性耐火シート体18に沿ってこの不燃性耐火シート体18の幅方向に所定の間隔をおいて張設される上下方向の複数本のワイヤ37にて不燃性耐火シート体18が大きく撓むことがないように補強される。
【００５２】
そして、遮蔽部２を遮蔽した不燃性耐火シート体18が複数本のワイヤ37を張設した側面と反対側面から比較的強い風圧、熱風等を受けて煽られても、この不燃性耐火シート体18を補強した複数本のワイヤ37は不燃性耐火シート体18の幅方向に所定の間隔をおいて張設されていることにより、この複数本のワイヤ37にて不燃性耐火シート体18が大きく撓むことがないように規制され、この不燃性耐火シート体18の両側端部の挿入部19が両側部のガイドレール１の挿入口３から抜け出すことを防止される。
【００５３】
つぎに、前記図３及び図４に示す実施の形態では、被遮蔽部２を遮蔽したシート体17すなわち不燃性耐火シート体18の一側面に沿ってシート体補強手段23の複数本の線状材36すなわちワイヤ37を張設する場合について説明したが、これに限らず、シート体補強手段23の複数本のワイヤ37は被遮蔽部２を遮蔽したシート体17すなわち不燃性耐火シート体18の他側面に沿って張設するようにしてもよく、すなわち、シート体補強手段23の複数本のワイヤ37は不燃性耐火シート体18が所定の風圧または火災時の熱風等を受ける側面と反対側面に沿って所定の間隔をおいて張設するようにする。
【００５４】
また、シート体補強手段23の複数本のワイヤ37は不燃性耐火シート体18の両側面に沿ってそれぞれ張設し、この両側の複数本のワイヤ37にて不燃性耐火シート体18を両側面から挟持するように補強するようにしてもよい。その他の構成は前記実施の形態の場合と同様とする。
【００５５】
このように構成することにより、不燃性耐火シート体18が一側面または他側面のいずれの方向から所定の風圧または火災時の熱風等を受けても、両側の複数本のワイヤ37にて不燃性耐火シート体18がいずれの方向にも撓むことが規制され、この不燃性耐火シート体18の両側端部の挿入部19が両側部のガイドレール１の挿入口３から抜け出すことを防止される。
【００５６】
【発明の効果】
請求項１の発明によれば、巻取ドラムがシート体を巻き戻す方向に向かって駆動回転されることにより、この巻取ドラムからシート体が順次巻き戻されるとともに重錘体の重量により迅速に下降されるが、重錘体が下降されると、この重錘体によりシート体補強手段がシート体の下降に連動して引き出されるとともに、この重錘体が着床してシート体にて被遮蔽部を遮蔽すると、このシート体に沿ってシート体補強手段が張設される。したがって、シート体を下降してこのシート体の下端部の重錘体が着床することにより、このシート体及び重錘体にて被遮蔽部を遮蔽すると同時にこのシート体に沿って張設されるシート体補強手段にてシート体が大きく撓むことがないように確実に補強することができる。また、被遮蔽部を遮蔽したシート体が比較的強い風圧を受けて煽られても、このシート体はシート体補強手段にて補強されていることにより、このシート体が大きく撓むことがなく、このシート体の両側端部が両側部のガイドレールの挿入口から抜け出すことを確実に防止でき、たとえば、温度保持や塵埃等の流出入を防止することを可能にした気密性を向上することができる。また、重錘体にて線状材がシート体の下降に連動して引き出されるとともに、この重錘体が着床してシート体にて被遮蔽部を遮蔽すると、このシート体に沿って線状材が張設される。したがって、シート体を下降してこのシート体の下端部の重錘体が着床することにより、このシート体及び重錘体にて被遮蔽部を遮蔽すると同時にこのシート体に沿って張設される線状材にてシート体が大きく撓むことがないように確実に補強することができる。また、被遮蔽部を遮蔽したシート体が比較的強い風圧を受けて煽られても、このシート体は線状材にて補強されていることにより、このシート体が大きく撓むことがなく、このシート体の両側端部が両側部のガイドレールの挿入口から抜け出すことを防止できる。また、シート体に沿って線状材を張設するので、シート体にこの幅方向の複数の補強パイプを一体に並設するもののようにガイドレールを大型化する必要がなく、シート体の下降時にガイドレールの側板とシート体の両側端部との間に異物等が挟まり難く、巻取ドラムの周囲にシート体の大きな巻回スペースを必要とすることもなく、全体としてシート体の両側端部が両側部のガイドレールの挿入口から抜け出すことを防止しながら外観性を向上できるスクリーン装置を提供できる。
【００５７】
また、重錘体が下降されると、この重錘体の両側のガイドローラにより線状材がシート体の下降に連動して巻取器から巻き戻されて引き出されるとともに、この重錘体が着床してシート体にて被遮蔽部を遮蔽すると、このシート体に沿って線状材が張設され、この線状材にてシート体を補強できる。
【００５８】
この際、重錘体の両側のガイドローラ間に掛け渡された線状材は、一端部を一方のガイドローラを介して一方のガイドレールの上端近傍の固着具に固着し、他端部を他方のガイドローラを介して他方のガイドレールの上端近傍の巻取器に巻回されていることにより、重錘体の両側のガイドローラにて巻取器から線状材がスムーズに引き出され、重錘体が着床してシート体にて被遮蔽部を遮蔽すると、このシート体に沿って線状材が対角線上にクロスした状態に張設でき、シート体が比較的強い風圧を受けた際に最も大きく撓み易いシート体の中心部に線状材のクロス部が位置することにより、この線状材にてシート体が撓むことがないように更に確実に補強できる。
【００５９】
したがって、被遮蔽部を遮蔽したシート体が比較的強い風圧を受けて煽られても、このシート体は線状材にて補強されていることにより、このシート体が大きく撓むことがないように規制でき、このシート体の両側端部が両側部のガイドレールの挿入口から抜け出すことを確実に防止できる。
【００６０】
請求項２の発明によれば、巻取ドラムがシート体を巻き戻す方向に向かって駆動回転されることにより、この巻取ドラムからシート体が順次巻き戻されるとともに重錘体の重量により迅速に下降されるが、重錘体が下降されると、この重錘体によりシート体補強手段がシート体の下降に連動して引き出されるとともに、この重錘体が着床してシート体にて被遮蔽部を遮蔽すると、このシート体に沿ってシート体補強手段が張設される。したがって、シート体を下降してこのシート体の下端部の重錘体が着床することにより、このシート体及び重錘体にて被遮蔽部を遮蔽すると同時にこのシート体に沿って張設されるシート体補強手段にてシート体が大きく撓むことがないように確実に補強することができる。また、被遮蔽部を遮蔽したシート体が比較的強い風圧を受けて煽られても、このシート体はシート体補強手段にて補強されていることにより、このシート体が大きく撓むことがなく、このシート体の両側端部が両側部のガイドレールの挿入口から抜け出すことを確実に防止でき、たとえば、温度保持や塵埃等の流出入を防止することを可能にした気密性を向上することができる。
【図面の簡単な説明】
【図１】本発明の実施の形態を示すスクリーン装置の一部を切欠した正面図である。
【図２】同上側面図である。
【図３】他の実施の形態を示すスクリーン装置の一部を切欠した正面図である。
【図４】同上側面図である。
【符号の説明】
１    ガイドレール
２    被遮蔽部
３    挿入口
10    巻取ドラム
16    床面
17    シート体
18    不燃性耐火シート体
20    重錘体
21    不燃性重錘体
23    シート体補強手段
24    ガイドローラ
26    固着具
27，40    巻取器
28，36    線状材
32，37    ワイヤ
【図１】
0003593440.tif 000002
【図２】
0003593440.tif 000003
【図３】
0003593440.tif 000004
【図４】
0003593440.tif 000005